(57)【要約】【課題】リーダ側に余分な記憶容量を備えることなく不正開封を見抜く。【解決手段】部品を封入するケースと、ケースを封印する第１のＲＦＩＤチップを有する１つ以上の封印手段と、ケースの中に備えられる第２のＲＦＩＤチップと、ＲＦＩＤチップに格納されている情報を読み書きするＲＦＩＤリーダと、を有し、ＲＦＩＤリーダは、第１のＲＦＩＤチップ及び第２のＲＦＩＤチップの固有情報をそれぞれ異なるＲＦＩＤチップに書き込む書込手段と、読み込んだ情報から書込手段にて書き込んだ情報とそれぞれの固有情報が全て一致するか否かを判断する照合手段と、を備える。【選択図】図４
2010201022.tif 000002
【特許請求の範囲】
【請求項１】
部品を封入するケースと、
前記ケースを封印する第１のＲＦＩＤチップを有する１つ以上の封印手段と、
前記ケースの中に備えられる第２のＲＦＩＤチップと、
ＲＦＩＤチップに格納されている情報を読み書きするＲＦＩＤリーダと、を有し、
前記ＲＦＩＤリーダは、
前記第１のＲＦＩＤチップ及び前記第２のＲＦＩＤチップの固有情報をそれぞれ異なるＲＦＩＤチップに書き込む書込手段と、
読み込んだ情報から前記書込手段にて書き込んだ情報とそれぞれの固有情報が全て一致するか否かを判断する照合手段と、を備えることを特徴とする不正改造防止装置。
【請求項２】
前記ＲＦＩＤリーダは、書き込む情報を暗号化する暗号化手段を備え、
前記書込手段は、暗号化された情報を書き込むことを特徴とする請求項１記載の不正改造防止装置。
【請求項３】
前記暗号化手段は、読み取った他のＲＦＩＤチップの固有情報を復号キーとして暗号化することを特徴とする請求項２記載の不正改造防止装置。
【請求項４】
前記暗号化手段は、複数の復号キーを有し、前記復号キーを書き込みの度に順番に用いて暗号化することを特徴とする請求項２記載の不正改造防止装置。
【請求項５】
前記書込手段は、前記第１のＲＦＩＤチップ及び第２のＲＦＩＤチップの書込可能領域にデータがなければ、前記固有情報を書き込むことを特徴とする請求項１から３のいずれか１項に記載の不正改造防止装置。
【請求項６】
前記書込手段は、前記固有情報を書き込み後、書き込んだＲＦＩＤチップの書込可能領域を書き込み不可能にすることを特徴とする請求項１又は５記載の不正改造防止装置。
【請求項７】
前記封印手段は、ネジであることを特徴とする請求項１から６のいずれか１項に記載の不正改造防止装置。
【請求項８】
前記封印手段は、前記第１のＲＦＩＤチップを取り除かないと前記ネジを取り外せないように、前記ネジを覆うように前記第１のＲＦＩＤチップを備えることを特徴とする請求項７記載の不正改造防止装置。
【請求項９】
前記照合手段による照合結果が異なると警告を行う警告手段を備えることを特徴とする請求項１から８のいずれか１項に記載の不正改造防止装置。
【請求項１０】
部品を封入するケースと、前記ケースを封印する第１のＲＦＩＤチップを有する１つ以上の封印手段と、前記ケースの中に備えられる第２のＲＦＩＤチップと、を有する不正改造防止装置と、
ＲＦＩＤチップに格納されている情報を読み書きするＲＦＩＤリーダと、を備える不正改造防止システムであって、
前記ＲＦＩＤリーダは、
前記第１のＲＦＩＤチップ及び前記第２のＲＦＩＤチップの固有情報をそれぞれ異なるＲＦＩＤチップに書き込む書込手段と、
読み込んだ情報から前記書込手段にて書き込んだ情報とそれぞれの固有情報が全て一致するか否かを判断する照合手段と、を備えることを特徴とする不正改造防止システム。
【請求項１１】
前記ＲＦＩＤリーダは、書き込む情報を暗号化する暗号化手段を備え、
前記書込手段は、暗号化された情報を書き込むことを特徴とする請求項１０記載の不正改造防止システム。
【請求項１２】
前記暗号化手段は、読み取った他のＲＦＩＤチップの固有情報を復号キーとして暗号化することを特徴とする請求項１１記載の不正改造防止システム。
【請求項１３】
前記暗号化手段は、複数の復号キーを有し、前記復号キーを書き込みの度に順番に用いて暗号化することを特徴とする請求項１１記載の不正改造防止システム。
【請求項１４】
前記書込手段は、前記第１のＲＦＩＤチップ及び第２のＲＦＩＤチップの書込可能領域にデータがなければ、前記固有情報を書き込むことを特徴とする請求項１０から１２のいずれか１項に記載の不正改造防止システム。
【請求項１５】
前記書込手段は、前記固有情報を書き込み後、書き込んだＲＦＩＤチップの書込可能領域を書き込み不可能にすることを特徴とする請求項１０又は１４記載の不正改造防止システム。
【請求項１６】
前記封印手段は、ネジであることを特徴とする請求項１０から１５のいずれか１項に記載の不正改造防止システム。
【請求項１７】
前記封印手段は、前記第１のＲＦＩＤチップを取り除かないと前記ネジを取り外せないように、前記ネジを覆うように前記第１のＲＦＩＤチップを備えることを特徴とする請求項１６記載の不正改造防止システム。
【請求項１８】
前記照合手段による照合結果が異なると警告を行う警告手段を備えることを特徴とする請求項１０から１７のいずれか１項に記載の不正改造防止システム。
【請求項１９】
部品を封入するケースと、前記ケースを封印する第１のＲＦＩＤチップを有する１つ以上の封印部材と、前記ケースの中に備えられる第２のＲＦＩＤチップと、ＲＦＩＤチップに格納されている情報を読み書きするＲＦＩＤリーダと、を有する不正改造防止装置において、
前記ＲＦＩＤリーダは、
前記第１のＲＦＩＤチップ及び前記第２のＲＦＩＤチップの固有情報をそれぞれ異なるＲＦＩＤチップに書き込む書込ステップと、
読み込んだ情報から前記書込ステップにて書き込んだ情報とそれぞれの固有情報が全て一致するか否かを判断する照合ステップと、を備えることを特徴とする不正改造防止装置の不正改造防止方法。
【請求項２０】
部品を封入するケースと、前記ケースを封印する第１のＲＦＩＤチップを有する１つ以上の封印部材と、前記ケースの中に備えられる第２のＲＦＩＤチップと、を有する不正改造防止装置と、
ＲＦＩＤチップに格納されている情報を読み書きするＲＦＩＤリーダと、を備える不正改造防止システムにおいて、
前記ＲＦＩＤリーダは、
前記第１のＲＦＩＤチップ及び前記第２のＲＦＩＤチップの固有情報をそれぞれ異なるＲＦＩＤチップに書き込む書込ステップと、
読み込んだ情報から前記書込ステップにて書き込んだ情報とそれぞれの固有情報が全て一致するか否かを判断する照合ステップと、を備えることを特徴とする不正改造防止システムの不正改造防止方法。
【請求項２１】
部品を封入するケースと、前記ケースを封印する第１のＲＦＩＤチップを有する１つ以上の封印部材と、前記ケースの中に備えられる第２のＲＦＩＤチップと、ＲＦＩＤチップに格納されている情報を読み書きするＲＦＩＤリーダと、を有する不正改造防止装置において、
前記ＲＦＩＤリーダは、
前記第１のＲＦＩＤチップ及び前記第２のＲＦＩＤチップの固有情報をそれぞれ異なるＲＦＩＤチップに書き込む書込処理と、
読み込んだ情報から前記書込処理にて書き込んだ情報とそれぞれの固有情報が全て一致するか否かを判断する照合処理と、をコンピュータに実行させるプログラム。
【請求項２２】
部品を封入するケースと、前記ケースを封印する第１のＲＦＩＤチップを有する１つ以上の封印部材と、前記ケースの中に備えられる第２のＲＦＩＤチップと、を有する不正改造防止装置と、
ＲＦＩＤチップに格納されている情報を読み書きするＲＦＩＤリーダと、を備える不正改造防止システムにおいて、
前記ＲＦＩＤリーダは、
前記第１のＲＦＩＤチップ及び前記第２のＲＦＩＤチップの固有情報をそれぞれ異なるＲＦＩＤチップに書き込む書込処理と、
読み込んだ情報から前記書込処理にて書き込んだ情報とそれぞれの固有情報が全て一致するか否かを判断する照合処理と、をコンピュータに実行させるプログラム。
【発明の詳細な説明】
【技術分野】
【０００１】
本発明は、不正分解を発見する不正改造防止装置、不正改造防止システム、それらの不正改造防止方法及びプログラムに関する。
【背景技術】
【０００２】
回動式遊技機（パチスロ機）や遊技機（パチンコ機）などにおいて、不正改造をされないようにＲＯＭ基板は、容易に交換できない構造で取り付けられており、さらには交換すると痕跡が残るような構造となっている。
【０００３】
上記のような構造を実現する方法としては、ユニット封印があげられる。ユニット封印とは、ＲＯＭ基板を内部に実装したモジュール毎にユニット構造をとり、それらユニットを封印キャップや封印ピン、封印シールで封印した構造のものである。封印キャップや封印ピンは、分解時に破損する構造にしておいて、場合によっては封印キャップの分解時にユニット封印部周囲も同時に破壊する構造を取っている場合もある。
【０００４】
また、封印シールの場合は、分解する際に封印シールをはがさないと分解できない部分に封印シールが貼り付けられる。封印シールを剥がすと、剥がした部分のシール粘着剤が痕として筐体側に残るために、痕跡が残ることになる。また、シール基材から粘着剤を剥離させているため、再貼付ができない構造となっている。
【０００５】
上記のような様々なユニット封印を施すことにより、再組立を試みようとしても分解前と同一の構造にすることを難しくさせ、不正な再組立を防止している。
【０００６】
従来、上記のような不正防止を施した遊技機を設置する店舗においては、実際に不正されていないかを確認するために、店舗で管理された鍵を用いて遊技機毎のドアを開け、不正改造有無を目視で確認を行っていた。そのため人件費などのコストがかかり、また確認方法についても目視での確認・監視となり、各監視要員の熟練度によっては不正の発見が左右されたり、店舗や製造・物流の関係者などによる巧妙な不正改造に対しては、発見そのものが非常に困難になるケースもある。
【０００７】
なお、それら不正改造機が一旦店舗に紛れ込んでしまうような事態が生じると、発見されるまでに甚大な損害を被ることになってしまう。
【０００８】
そこで、例えば特許文献１には、ユニットケースを勘合するためのネジの頭部を覆うように、ＲＦＩＤタグを搭載したカシメ構造を施した封印キャップを配置することで、封印キャップを取り外さないと開封できないようにし、また封印キャップを取り外すと封印キャップ自体が壊れてしまうため、容易に不正改造を見分けることを可能にする技術について記載されている。
【０００９】
また、特許文献２には、ユニットに記載されたシリアル番号とＲＦＩＤ（Radio Frequency Identification）タグを有するラベルのＵＩＤ（Unique Identifier）とを合わせて暗号化して前記ラベルに書き込んでおき、前記ラベルに書き込まれた情報を読み取った際に複合化して前記シリアル番号と照会することで不正開封を見分ける技術について開示されている。
【先行技術文献】
【特許文献】
【００１０】
【特許文献１】特開２００５−１３０９０９号公報
【特許文献２】特開２００８−１３２６９号公報
【発明の概要】
【発明が解決しようとする課題】
【００１１】
しかしながら、特許文献１に記載の技術では、封印キャップ自体が構造的に偽造が可能であるため、封印キャップ破壊後、偽造したキャップで封印することで見かけ上の偽装が可能である。
【００１２】
また、元の封印キャップに搭載されたＲＦＩＤタグに保存されているデータをコピーして偽造封印キャップに同様のＲＦＩＤタグを搭載することでデータ上からも偽装することが可能となってしまう。
【００１３】
また、特許文献２に記載の技術では、照合時に入力されたシリアル番号を記憶しておかなければならず、例えば複数のユニットを管理する際には多くの記憶容量が必要となってしまう。さらに、シリアル番号とＲＦＩＤタグとの読み取り機構が異なるため自動読み取りにするには構成が煩雑となり、またシリアル番号を手入力するには、誤入力の可能性もあり好ましくない。
【００１４】
そこで本発明は、上記問題点に鑑みてなされたもので、リーダ側に余分な記憶容量を備えることなく不正開封を見抜くことを目的とする。
【課題を解決するための手段】
【００１５】
上記課題を解決するため、本発明における不正改造防止装置は、部品を封入するケースと、ケースを封印する第１のＲＦＩＤチップを有する１つ以上の封印手段と、ケースの中に備えられる第２のＲＦＩＤチップと、ＲＦＩＤチップに格納されている情報を読み書きするＲＦＩＤリーダと、を有し、ＲＦＩＤリーダは、第１のＲＦＩＤチップ及び第２のＲＦＩＤチップの固有情報をそれぞれ異なるＲＦＩＤチップに書き込む書込手段と、読み込んだ情報から書込手段にて書き込んだ情報とそれぞれの固有情報が全て一致するか否かを判断する照合手段と、を備えることを特徴とする。
【００１６】
また、本発明における不正改造防止システムは、部品を封入するケースと、ケースを封印する第１のＲＦＩＤチップを有する１つ以上の封印手段と、ケースの中に備えられる第２のＲＦＩＤチップと、を有する不正改造防止装置と、ＲＦＩＤチップに格納されている情報を読み書きするＲＦＩＤリーダと、を備える不正改造防止システムであって、ＲＦＩＤリーダは、第１のＲＦＩＤチップ及び第２のＲＦＩＤチップの固有情報をそれぞれ異なるＲＦＩＤチップに書き込む書込手段と、読み込んだ情報から書込手段にて書き込んだ情報とそれぞれの固有情報が全て一致するか否かを判断する照合手段と、を備えることを特徴とする。
【００１７】
また、本発明における不正改造防止装置の不正改造防止方法は、部品を封入するケースと、ケースを封印する第１のＲＦＩＤチップを有する１つ以上の封印部材と、ケースの中に備えられる第２のＲＦＩＤチップと、ＲＦＩＤチップに格納されている情報を読み書きするＲＦＩＤリーダと、を有する不正改造防止装置において、ＲＦＩＤリーダは、第１のＲＦＩＤチップ及び第２のＲＦＩＤチップの固有情報をそれぞれ異なるＲＦＩＤチップに書き込む書込ステップと、読み込んだ情報から書込ステップにて書き込んだ情報とそれぞれの固有情報が全て一致するか否かを判断する照合ステップと、を備えることを特徴とする。
【００１８】
また、本発明における不正改造防止システムの不正改造防止方法は、部品を封入するケースと、ケースを封印する第１のＲＦＩＤチップを有する１つ以上の封印部材と、ケースの中に備えられる第２のＲＦＩＤチップと、を有する不正改造防止装置と、ＲＦＩＤチップに格納されている情報を読み書きするＲＦＩＤリーダと、を備える不正改造防止システムにおいて、ＲＦＩＤリーダは、第１のＲＦＩＤチップ及び第２のＲＦＩＤチップの固有情報をそれぞれ異なるＲＦＩＤチップに書き込む書込ステップと、読み込んだ情報から書込ステップにて書き込んだ情報とそれぞれの固有情報が全て一致するか否かを判断する照合ステップと、を備えることを特徴とする。
【００１９】
また、本発明におけるプログラムは、部品を封入するケースと、ケースを封印する第１のＲＦＩＤチップを有する１つ以上の封印部材と、ケースの中に備えられる第２のＲＦＩＤチップと、ＲＦＩＤチップに格納されている情報を読み書きするＲＦＩＤリーダと、を有する不正改造防止装置において、ＲＦＩＤリーダは、第１のＲＦＩＤチップ及び第２のＲＦＩＤチップの固有情報をそれぞれ異なるＲＦＩＤチップに書き込む書込処理と、読み込んだ情報から書込処理にて書き込んだ情報とそれぞれの固有情報が全て一致するか否かを判断する照合処理と、をコンピュータに実行させることを特徴とする。
【００２０】
また、本発明におけるプログラムは、部品を封入するケースと、ケースを封印する第１のＲＦＩＤチップを有する１つ以上の封印部材と、ケースの中に備えられる第２のＲＦＩＤチップと、を有する不正改造防止装置と、ＲＦＩＤチップに格納されている情報を読み書きするＲＦＩＤリーダと、を備える不正改造防止システムにおいて、ＲＦＩＤリーダは、第１のＲＦＩＤチップ及び第２のＲＦＩＤチップの固有情報をそれぞれ異なるＲＦＩＤチップに書き込む書込処理と、読み込んだ情報から書込処理にて書き込んだ情報とそれぞれの固有情報が全て一致するか否かを判断する照合処理と、をコンピュータに実行させることを特徴とする。
【発明の効果】
【００２１】
本発明により、取り付けられているＲＦＩＤの情報をリーダ側で格納せずとも、不正開封を見抜くことが可能となる。
【図面の簡単な説明】
【００２２】
【図１】本発明の実施形態に係る不正改造防止ユニットの構成図（その１）である。
【図２】本発明の実施形態に係る不正改造防止ユニットの構成図（その２）である。
【図３】不正防止ネジの構成図である。
【図４】本発明の実施形態に係るＲＦＩＤチップの格納領域の模式図である。
【図５】本発明の実施形態に係るＲＦＩＤ読み取り機構における機能ブロック図である。
【図６】本発明の実施形態に係る不正改造防止ユニットの書込時のフローチャート図である。
【図７】本発明の実施形態に係る不正改造防止ユニットの読込時のフローチャート図である。
【図８】本発明の実施形態に係る不正改造防止システムの構成図である。
【図９】本発明の実施形態に係るＲＦＩＤ読み取り装置の機能ブロック図である。
【図１０】本発明の他の実施形態に係るＲＦＩＤ読み取り機構における機能ブロック図である。
【図１１】本発明の他の実施形態に係る不正改造防止ユニットの書込時のフローチャート図である。
【図１２】本発明の他の実施形態に係る不正改造防止ユニットの読込時のフローチャート図である。
【発明を実施するための形態】
【００２３】
次に、発明を実施するための最良の形態について図面を参照して詳細に説明する。
【００２４】
（第１の実施形態）
図１及び図２は、本発明の実施形態における不正改造防止ユニットの構成図である。図１は、本不正改造防止ユニットの外観図を示し、図２は、要部拡大図である。
【００２５】
図１及び図２に示すように、不正改造防止ユニットは、本体ケース１０によって、メイン基板２０を内部に封印し、不正防止ネジ３０を用いて組み付けられる。
【００２６】
メイン基板２０には、メモリモジュール２１などが備えられ、さらにＲＦＩＤチップ２２を有する。ＲＦＩＤチップの搭載位置は、特に限定されるものではなく、例えばメモリモジュール上に搭載しても良い。また、ＲＦＩＤ電場受信用アンテナ部４０と、スピーカ５０と、を備える。
【００２７】
ＲＦＩＤ電場受信用アンテナ部４０は、ＲＦＩＤチップの電波信号を受信し、基板内の制御回路に信号を伝達する。なお、ＲＦＩＤ電場受信用アンテナ部４０は、各ＲＦＩＤチップ全ての電波信号を受信できる位置に備えられる。
【００２８】
スピーカ５０は、後述するＲＦＩＤチップの読み取り情報から不正があったことが発覚するとアラーム音を発生させる。
【００２９】
不正防止ネジ３０は、図１（ｂ）に示すようにＲＦＩＤチップ３１を搭載してなる。ＲＦＩＤチップは、ＲＦＩＤリーダによって非接触状態で格納される情報の書き込み及び読み込みが可能な非接触型記録媒体である。
【００３０】
またＲＦＩＤチップは、ＲＦＩＤリーダからの電波をエネルギー源として動作するＲＦＩＤチップであり、電池を内蔵する必要はない。また、ＲＦＩＤチップ（のアンテナ）は、ＲＦＩＤリーダからの電波の一部を反射することで、ＲＦＩＤチップのエネルギー（駆動電源）、信号（ＩＤ情報等）をその反射波に乗せることで情報伝達を行う。電磁波の周波数としては、１３５ｋＨｚ、１３．５６ＭＨｚ等がある。
【００３１】
各ＲＦＩＤチップは、それぞれ製造時に固有の情報（ＵＩＤ）を有する。固有情報は、書き換え不可能領域に格納されており、ＲＦＩＤリーダによって書き換えられることはない。また、書き換え不可能領域とは別の書き換え可能領域を有し、書き換え可能領域にＲＦＩＤリーダによって後述するような情報を書き込むことで不正改造を検出する。
【００３２】
図３は、不正防止ネジ３０の一例を示す図である。図３（ａ）は、ＲＦＩＤチップ３１のみを不正防止ネジ３０に搭載した場合の一例を示す図である。なお、このときアンテナは、本体ケース１０の各不正防止ネジ取り付け位置付近などに備えれば良く、ＲＦＩＤチップ３１は、プラスチック・ゴム等で構成されたネジ構造体の内部に埋め込むなどすればよい。
【００３３】
図３（ｂ）は、ＲＦＩＤチップ３１及びＲＦＩＤアンテナ３１１を不正防止ネジ３０に搭載した場合の一例を示す図である。それぞれの搭載位置は、特に限定されるものではなく、ＲＦＩＤチップ３１及びＲＦＩＤアンテナ３１１が不正防止ネジ３０に搭載されていればよい。
【００３４】
また、図３（ｃ）は、アンテナ一体型ＲＦＩＤチップ３１２を不正防止ネジ３０に搭載した場合の一例を示す図である。本構成のように、チップ及びアンテナを一体構造としてネジに埋め込んでも、機能上問題はない。
【００３５】
さらに、特許文献１に記載されるように、ケースに取り付けたネジを覆うようにＲＦＩＤチップを配置し、ＲＦＩＤチップを取り除かなければネジを取り除けないような構造としても良い。また、ネジに限ることはなく、例えばケースを開けたときに痕跡が残るようなケースの接合部に貼り付けられるラベルなどにＲＦＩＤを搭載しても良い。
【００３６】
図４は、本発明の実施形態におけるＲＦＩＤチップの格納領域の模式図である。各図において、上図は不正改造防止ネジに搭載されるＲＦＩＤチップの格納領域の模式図、下図はメイン基板に搭載されるＲＦＩＤチップの格納領域の模式図を示す。
【００３７】
図４（ａ）は、初期状態における模式図である。初期状態では、各ＲＦＩＤチップの書き込み可能領域には何もデータが格納されていない状態である。なお、固有情報領域には各固有のＩＤ（ＵＩＤ）が格納されている。
【００３８】
図４（ｂ）は、書き込み後の模式図である。各ＲＦＩＤチップの書き込み可能領域には、それぞれのＲＦＩＤチップを識別できるような情報が書き込まれる。本例では、お互いの固有情報を格納しているが、これに限ることはなく、例えばそれぞれの固有情報を組み合わせて格納するなどしても良い。
【００３９】
各ＲＦＩＤチップにお互いの固有情報を示す情報を書き込み可能領域に書き込み後、図４（ｃ）に示すように書き込み可能領域を書き込み不可能にする。
【００４０】
図４（ｄ）は、模造した不正改造防止ネジの格納領域を示す模式図である。図のように書き込み領域に同様の情報をコピーして模造してもＵＩＤが異なるために、不正を発見することが可能である。
【００４１】
このように、最初のデータ読み込み時などにお互いの固有情報を書き込み可能領域へ書き込ませることで、リーダ側に搭載されているそれぞれのＲＦＩＤチップの固有情報を格納するメモリ領域を設けなくとも、搭載されているＲＦＩＤチップから搭載されているはずのＲＦＩＤチップを認識することができ、それらが搭載されているか否かを判別することができる。
【００４２】
なお、ここでは簡単のためにネジ、メイン基板それぞれ一つのＲＦＩＤチップが搭載されているよう説明を行ったが、本体ケースに取り付けられる複数のネジにそれぞれＲＦＩＤチップを搭載して、各ＲＦＩＤチップに全ての固有情報を格納するよう構成しても良い。また、メイン基板に搭載されるＲＦＩＤチップも複数有っても良い。
【００４３】
図５は、本発明の実施形態におけるメイン基板におけるＲＦＩＤ読み取り機能を示すブロック図である。本メイン基板は、情報読込部２０１と、情報書込部２０２と、データ照合部２０３と、を有して構成される。
【００４４】
情報読込部２０１は、備えられているＲＦＩＤチップに格納された情報、すなわちＵＩＤと書き込まれた情報の読み取りを行う。
【００４５】
情報書込部２０２は、ＲＦＩＤチップの書き込み領域が書き込み可能領域であった場合、あるいは何もデータが格納されていなかった場合などに、読み取った他のＲＦＩＤチップのＵＩＤに関する情報を書き込む。
【００４６】
なお、書き込みデータは、お互いのＲＦＩＤチップのＵＩＤが識別できるように書き込めば特に限定することなく、例えば暗号化して書き込んでも良いし、読み取ったＵＩＤ全てをつなげて書き込んでも良い。また、複数のＲＦＩＤチップが搭載されている場合には、各ＲＦＩＤチップの搭載される座標とＵＩＤとを関連付けて格納するなどしても良い。
【００４７】
データ照合部２０３は、読み取ったＵＩＤと、書き込まれた情報とを照合して、書き込まれた情報のＵＩＤが全て一致しているか否かを判断し、一致していない情報があれば不正がなされたと判断し、不正発覚信号を送出する。
【００４８】
図６は、本発明の実施形態における不正改造防止ユニットの書込時におけるフローチャート図である。
【００４９】
ＲＦＩＤリーダにて、プリント基板に搭載されたＲＦＩＤチップの固有情報（ＵＩＤ１）及び書込データと、不正改造防止ネジに搭載されたＲＦＩＤチップの固有情報（ＵＩＤ２）及び書込データを読み取る（ステップＳ１１、Ｓ１２）。
【００５０】
各ＲＦＩＤチップに固有情報に関する書込データがあるか否かを判断し（ステップＳ１３）、あれば後述する読込時におけるフローチャートに従い、処理を行う（ステップＳ１４）。
【００５１】
書込データがなければ、読み取った固有情報からそれぞれのＲＦＩＤチップに書き込む書込データを作成し（ステップＳ１５）、各ＲＦＩＤチップの書込可能領域にそれぞれ書込データを書き込む（ステップＳ１６、１７）。
【００５２】
各ＲＦＩＤチップの書込可能領域を書込不可能領域に変更する（ステップＳ１８、Ｓ１９）。
【００５３】
図７は、本発明の実施形態における不正改造防止ユニットの読込時におけるフローチャート図である。
【００５４】
ＲＦＩＤリーダにて、プリント基板に搭載されたＲＦＩＤチップの固有情報（ＵＩＤ１）及び書込データと、不正改造防止ネジに搭載されたＲＦＩＤチップの固有情報（ＵＩＤ２）及び書込データを読み取る（ステップＳ２１、Ｓ２２）。
【００５５】
各ＲＦＩＤチップに固有情報に関する書込データがあるか否かを判断し（ステップＳ２３）、なければ前述の書込時におけるフローチャートに従い、処理を行う（ステップＳ２４）。
【００５６】
書込データを参照して、各固有情報（ＵＩＤ１及びＵＩＤ２）のデータが一致するか否かを判断する（ステップＳ２５）。
【００５７】
一致すれば、正常と判断し処理を終了する（ステップＳ２６）。一方、一致しなければ、異常処理を行う（ステップＳ２７）。ここで、異常処理とは、例えば異常である旨を表示したり、アラームなどの警告音を鳴らしたりすることである。
【００５８】
（第２の実施形態）
図８は、本発明の実施形態における不正改造防止システムの構成図である。なお、図８（ｂ）は、不正改造防止ユニットの側面図を示す。
【００５９】
本不正改造防止システムは、ＲＦＩＤ読み取り装置６０と、不正改造防止ユニット１００と、を有して構成される。
【００６０】
不正改造防止ユニット１００は、本体ケース１０と、メイン基板２０と、不正防止ネジ３０と、を有して構成される。
【００６１】
本体ケース１０は、メイン基板２０を中に備えて不正防止ネジ３０によって封印されている。
【００６２】
メイン基板２０には、ＲＦＩＤチップ２２が搭載され、不正防止ネジ３０は、ＲＦＩＤチップが搭載されている。なお、不正防止ネジ３０とＲＦＩＤチップとは必ずしも一体型である必要はなく、ＲＦＩＤチップを先に取り外さないと不正防止ネジ３０が取り外せないような構成でも良い。また、ネジに限らずラベルにＲＦＩＤチップを搭載するなどしても良い。
【００６３】
ＲＦＩＤ読み取り装置６０は、メイン基板２０と、不正防止ネジ３０に搭載されるＲＦＩＤチップを読み取り、お互いの固有情報を書き込み可能領域に書き込んだ上で、該書き込み可能領域を書き込み不可能にする。なお、搭載されている全てのＲＦＩＤチップの情報を一度に読み取れることが好ましい。
【００６４】
図９は、ＲＦＩＤ読み取り装置６０の機能ブロック図である。ＲＦＩＤ読み取り装置６０は、情報読込部２０１と、情報書込部２０２と、データ照合部２０３と、表示部２０４と、を有して構成される。
【００６５】
なお、表示部２０４は、データ照合部２０３からの照合結果をユーザに知らせる機能部である。また、データ照合結果が一致しない場合に、警告音を鳴らしたり、異常である旨の信号を送出できるよう構成しても良い。
【００６６】
（第３の実施形態）
図１０は、第３の実施形態におけるＲＦＩＤ読み取り機能のブロック図である。
【００６７】
本ＲＦＩＤ読み取り機能部は、情報読込部２０１と、暗号生成部２０５と、情報書込部２０２と、データ照合部２０３と、を有して構成される。
【００６８】
暗号生成部２０５は、情報読込部２０１より読み込んだ各ＲＦＩＤチップにおけるＵＩＤから暗号を生成する。
【００６９】
情報書込部２０２は、暗号生成部２０５にて生成した暗号を各ＲＦＩＤチップの書込可能領域に書き込む。
【００７０】
データ照合部２０３は、情報読込部２０１にて読み込んだ各ＲＦＩＤチップにおける書込可能領域に書き込まれた暗号化されたデータを読み込んで復号化して、読み込んだＵＩＤと複合化したデータとの照合を行う。
【００７１】
なお、暗号生成部２０５における暗号化手段は、特に限定されるものではなく公知の技術を用いればよい。
【００７２】
暗号生成部２０５にて生成される情報は、例えばメイン基板に搭載したＲＦＩＤチップを復号キーとして、不正改造防止ネジに搭載されるＵＩＤを暗号化するなどすればよい。また、ＲＦＩＤ読み取り機能部自体が復号キーを予め生成しておき、該復号キーに従って暗号化及び復号化を行っても良い。
【００７３】
なお、本実施形態においては、第１及び第２の実施形態同様に一度書込可能領域に書込後、同領域を書込不可能にしても良いし、情報読込部２０１で各ＲＦＩＤチップの情報を読み込む度に書込可能領域の情報を毎回／あるいは一定間隔で暗号化して書き込むよう構成しても良い。このとき、書込可能領域に格納されている暗号キーを基にさらに暗号化を行っても良いし、複数の復号キー順番に用いて暗号化を行うようにしても良い。
【００７４】
本実施形態によれば、例えば不正に情報が読み取られたとしても他のＲＦＩＤチップのＵＩＤを特定することが困難となるためにセキュリティ性を向上させることが可能である。また、書込情報にＵＩＤだけではなく、同時にその他の情報を暗号化して書き込んでおいても、その情報を特定することが困難なため有用である。
【００７５】
図１１は、本発明の第３の実施形態における不正改造防止ユニットの読込時におけるフローチャート図である。
【００７６】
ＲＦＩＤリーダにて、プリント基板に搭載されたＲＦＩＤチップの固有情報（ＵＩＤ１）及び書込データと、不正改造防止ネジに搭載されたＲＦＩＤチップの固有情報（ＵＩＤ２）及び書込データを読み取る（ステップＳ３１、Ｓ３２）。
【００７７】
読み取った固有情報及び／又は書込可能領域の書込データからそれぞれのＲＦＩＤチップに書き込むために暗号化を行って書込データを作成し（ステップＳ３３）、各ＲＦＩＤチップの書込可能領域にそれぞれ書込データを書き込む（ステップＳ３４、３５）。
【００７８】
図１２は、本発明の第３の実施形態における不正改造防止ユニットの読込時におけるフローチャート図である。
【００７９】
ＲＦＩＤリーダにて、プリント基板に搭載されたＲＦＩＤチップの固有情報（ＵＩＤ１）及び書込データと、不正改造防止ネジに搭載されたＲＦＩＤチップの固有情報（ＵＩＤ２）及び書込データを読み取る（ステップＳ４１、Ｓ４２）。
【００８０】
各ＲＦＩＤチップに固有情報に関する書込データがあるか否かを判断し（ステップＳ４３）、なければ前述の書込時におけるフローチャートに従い、処理を行う（ステップＳ４４）。
【００８１】
書込データを複合化し（ステップＳ４５）、複合化した書込データを参照して照合を行い（ステップＳ４６）、各固有情報（ＵＩＤ１及びＵＩＤ２）のデータが一致するか否かを判断する（ステップＳ４７）。
【００８２】
一致すれば、正常と判断し処理を終了する（ステップＳ４８）。一方、一致しなければ、異常処理を行う（ステップＳ４９）。
【００８３】
本発明の各実施形態によれば、ＲＦＩＤチップを有するネジのＲＦＩＤチップに書き込まれた各種履歴情報を生産・流通・修理・販売などの共通の履歴情報として使用することで、情報の一元管理が可能となり、ユニットとして非常に精度の高い情報管理を実現することができる。それら履歴情報を各種流通過程で読み取り、システム管理をすることで、物流情報としても活用でき、物流管理コストを低減することも可能である。
【００８４】
また、製品返却時の修理過程などにおいて、その修理データを付加データとして書き換えることで、正確な保守管理面を実行可能である。ＲＦＩＤチップ内の情報は、ＲＦＩＤリーダなどにより瞬時に読み取れるため、迅速なトレーサビリティ性を実行することが可能である。
【００８５】
ＲＦＩＤチップ内のユニット情報を瞬時に読み取ることができることで、店舗内で日々発生する不正改造をリアルタイムで迅速に見抜く手段として用いることができる。これらＲＦＩＤチップによる各種基板の不正改造や各種ＲＯＭデータの不正書き換えを防止し、なおかつ出荷・製造履歴の保存、各遊技機の内部に実装される各種ＲＯＭ基板の不正交換や不正書き換えを防止する。
【００８６】
それら各種ＲＯＭ基板に接続する基板を囲むモジュール単位で使用部品やソフトバージョンなどの履歴をデータ化し、管理できるようにする。それら管理できるようにデータ化された（製造・出荷・修理・保守などの）履歴情報を（工場内、倉庫内、店舗内などの）あらゆる場面で即座に検出し、容易に利用できるようにすることを目的としていて、それらのシステムを構築する手段として、それらを不正に交換されにくく、不正交換の痕跡を確実に残せる構造である。
【００８７】
それらに内蔵されるＲＯＭ基板の不正交換やＲＯＭ内部に保存されているデータの不正書き換えの防止とそれら不正後の再組立なども防止できる。それらＲＦＩＤチップが内蔵されたネジで封印することは、分解・再組立防止用の封印方法として、ユニットの履歴情報を監視する意味でも有効である。
【００８８】
以上、実施の形態を説明したが、特許請求の範囲に定義された本発明の広範囲な趣旨および範囲から逸脱することなく、これら実施の形態や具体例に様々な修正および変更が可能である。
【産業上の利用可能性】
【００８９】
本発明は、回動式遊技機、遊技機、アレンジボール機、雀球機、パロット機等の遊技機における当選確率などのデータを内蔵・制御する制御基板ユニット、液晶ディスプレイ等の表示画像データを内蔵・制御する表示ユニット、筐体に装備される各種ランプ演出用データを内蔵・制御するランプ制御ユニット、演出用の音データ等を内蔵・制御する音源ユニット等に適用可能である。
【００９０】
また、上記記載の遊技機だけに限ることはなく、２つ以上の部品を組み合わせた装置において不正分解を防止するために用いることが可能である。
【符号の説明】
【００９１】
１０    本体ケース
２０    メイン基板
２２    ＲＦＩＤチップ
３０    不正防止ネジ
３１    ＲＦＩＤチップ
４０    ＲＦＩＤ電場受信用アンテナ
５０    スピーカ
６０    ＲＦＩＤ読み取り装置
【図１】
2010201022.tif 000003
【図２】
2010201022.tif 000004
【図３】
2010201022.tif 000005
【図４】
2010201022.tif 000006
【図５】
2010201022.tif 000007
【図６】
2010201022.tif 000008
【図７】
2010201022.tif 000009
【図８】
2010201022.tif 000010
【図９】
2010201022.tif 000011
【図１０】
2010201022.tif 000012
【図１１】
2010201022.tif 000013
【図１２】
2010201022.tif 000014